(57)【要約】      （修正有）【課題】ロートアイアン製品などでガラス板を嵌めて固定する場合、衝撃を受けてもガラス板が割れにくく、かつ施工も簡単なガラスの板固定構造を提供する。【解決手段】ガラス板の固定構造は、ガラス板と、前面枠と、係止部材と、押さえ部とから構成する。前面枠は、ガラス板の前面に配置される板体であって、中央にガラス板が表出する開口が設けられた枠板を有する。係止部材は、エラストマーにより形成され、柱体からなる係合部と、係合部の底面において外周方向に張り出す薄い板状のフランジ部とからなり、枠板裏面のガラス板の配置位置より係合部が外側に位置し、ガラスの前面にフランジ部が当接するように枠板の裏面に立設される。押さえ部材は、係合部にきつく嵌入して係合する貫通孔が形成され、ガラスの背面側を支持する板体からなる押さえ板を有する。【選択図】図３
0003178829.tif 000002
【実用新案登録請求の範囲】
【請求項１】
ガラス板と、
前記ガラス板の前面に配置される前記ガラス板よりもやや大きい板体であって、中央に前記ガラスが表出する開口が設けられた枠板を有する前面枠と、
エラストマーにより形成され、柱体からなる係合部と、当該係合部の底面において外周方向に張り出す薄い板状のフランジ部とからなる係止部材であって、前記枠板裏面の前記ガラス板の配置位置よりも前記係合部が外側に位置し、前記ガラスの前面に前記フランジ部が当接するように前記枠板の裏面に立設される係止部材と、
前記係合部にきつく嵌入して係合する貫通孔が形成され、前記ガラスの背面側を支持する板体からなる押さえ板を有する押さえ部材と
を有するガラス板の固定構造。
【請求項２】
前記前面枠は、前記枠板の外周縁の裏面側に当該枠板に略直角に立設された板体で囲われた枠である補強枠を有し、
前記押さえ部材は前記補強枠の内側に嵌合する板体で囲われた枠である係合枠を有し、前記押さえ板は当該係合枠の前記ガラス側の端部内側に、略直角に設けられるものである請求項１に記載のガラス板の固定構造。
【請求項３】
前記押さえ板と前記ガラス板との間にエラストマーからなる前記係合部に嵌るワッシャーが設けられる請求項１又は２に記載のガラス板の固定構造。
【請求項４】
前記前面枠は、枠板の外周縁の裏面側に当該枠板に略直角に立設された板体で囲われた枠である補強枠を有し、
前記押さえ部材は前記補強枠の内側に固定される板体からなる固定板を有し、前記押さえ板は当該固定板の前記ガラス側の端部内側に略直角直角に設けられるものであって、少なくとも前記押さえ板はエラストマーにより形成されるものである
請求項１に記載のガラス板の固定構造。
【請求項５】
エラストマーにより形成され、柱体からなる係合部と、当該係合部の底面外周方向に張り出す薄い板状のフランジ部とからなるガラス板固定用係止部材。
【考案の詳細な説明】
【技術分野】
【０００１】
本考案はガラス板の固定構造に関し、特に、免震性の高いものに関する。
【背景技術】
【０００２】
錬鉄の棒材などを曲げて装飾的なデザインを施した家具や建具等を形成するロートアイアン製品には、まれにガラス板を嵌めたものが存在する。
ロートアイアン製品にガラス板を固定する場合、断面L字状の部材でガラスを嵌める枠を形成し、当該枠にガラスを嵌めた後に、背面からこの枠の内側に嵌る少し小さな枠を嵌め入れ、内側の枠を外側の枠にネジで固定することが一般的である。
【考案の概要】
【考案が解決しようとする課題】
【０００３】
しかし、ガラス板を鉄製の枠で挟む構造を採ると、地震などで枠に衝撃を受けると、直ちにガラス板に衝撃が伝わりガラス板が割れてしまうという問題があった。また、大きなガラスは現場で嵌められ固定されるが、現場でねじ止めをする手間がかかるという問題がある。
本考案は、このような問題に鑑み、ロートアイアン製品などでガラス板を嵌めて固定する構造において、衝撃を受けてもガラス板が割れにくく、かつ施工も簡単にすることを課題とする。
【課題を解決するための手段】
【０００４】
上記課題を解決するために、本考案は次のような構成を有する。
請求項１に記載の考案は、ガラス板と、前記ガラス板の前面に配置される前記ガラス板よりもやや大きい板体であって、中央に前記ガラス板が表出する開口が設けられた枠板を有する前面枠と、エラストマーにより形成され、柱体からなる係合部と、当該係合部の底面において外周方向に張り出す薄い板状のフランジ部とからなる係止部材であって、前記枠板裏面の前記ガラス板の配置位置よりも少なくとも前記係合部が外側に位置し、前記ガラスの前面に前記フランジ部が当接するように前記枠板の裏面に立設される係止部材と、前記係合部にきつく嵌入して係合する貫通孔が形成され、前記ガラスの背面側を支持する板体からなる押さえ板を有する押さえ部材とを有するガラス板の固定構造である。
請求項２に記載の考案は、前記ガラス板の固定構造において、前記前面枠は、前記枠板の外周縁の裏面側に当該枠板に略直角に立設された板体で囲われた枠である補強枠を有し、  前記押さえ部材は前記補強枠の内側に嵌合する板体で囲われた枠である係合枠を有し、前記押さえ板は当該係合枠の前記ガラス側の端部内側に、略直角に設けられるものである。
請求項３に記載の考案は、前記ガラス板の固定構造において、前記押さえ板と前記ガラス板との間にエラストマーからなる前記係合部に嵌るワッシャーが設けられるものである。
請求項４に記載の考案は、請求項１に記載のガラス板の固定構造において、前記前面枠は、枠板の外周縁の裏面側に当該枠板に略直角に立設された板体で囲われた枠である補強枠を有し、前記押さえ部材は前記補強枠の内側に固定される板体からなる固定板を有し、前記押さえ板は当該固定板の前記ガラス側の端部内側に略直角直角に設けられるものであって、少なくとも前記押さえ板はエラストマーにより形成されるものである。
請求項５に記載の考案は、前記ガラス板の固定構造に用いられるガラス板固定用係止部材であって、エラストマーにより形成され、柱体からなる係合部と、当該係合部の底面外周方向に張り出す薄い板状のフランジ部とからなるガラス板固定用係止部材である。
【考案の効果】
【０００５】
上記のような構成により本考案は、次のような効果を奏する。
請求項１に記載の考案は、ガラス板と前面枠との間にエラストマーからなる係止部材のフランジ部が挟まるので、前面枠からの衝撃がエラストマーにより緩和され、また、押さえ板を嵌めるだけで固定できるので施工を容易に行うことができる。
請求項２に記載の考案は、前面枠の補強枠に、押さえ部材の係合枠が嵌ることで平行に抜かなければ押さえ部材が抜けないので、より強固に押さえ部材を固定することができる。
請求項３に記載の考案は、押さえ板とガラス板との間にエラストマーからなるワッシャーを挟むことで押さえ板が金属で形成されていても背面側からの衝撃を緩和することができる。
請求項４に記載の考案は、押さえ板をエラストマーで形成することで背面側からの衝撃を緩和でき、さらに押さえ板を前面枠の補強枠に固定することで確実に押さえ板が固定され、より強固な構造とすることができる。
請求項５に記載の考案は、上記前面枠の背面に固定することで、上記のガラス板固定構造を実現することができる。
【図面の簡単な説明】
【０００６】
【図１】実施形態に係るロートアイアン製品の斜視図である。
【図２】実施形態に係るロートアイアン製品の分解斜視図である。
【図３】実施形態に係るロートアイアン製品のガラスを嵌めた状態の部分拡大分解斜視図である。
【図４】実施形態に係るロートアイアン製品の係合部における拡大縦断面図である。
【図５】実施形態に係るロートアイアン製品の係止部材を固定した前面枠の背面図である。
【図６】変形例に係るロートアイアン製品のガラスを嵌めた状態の部分拡大分解斜視図である。
【図７】実施形態に係るロートアイアン製品の係合部における拡大縦断面図である。
【図８】図７のＣ−Ｃ線断面図である。
【考案を実施するための形態】
【０００７】
以下、本考案の実施の形態について、図面を参照しながら説明する。
図１に実施形態に係るロートアイアン製品Ｘの斜視図を示し、図２にロートアイアン製品Ｘの分解斜視図を示す。
ロートアイアン製品Ｘは、ガラス板１０、前面枠２０、係止部材３０、押さえ部材４０、ワッシャー５０から構成される。なお、ワッシャー５０は係止部材３０と同じ数設けられるが図２の分解斜視図では図が煩雑になるのワッシャー５０は一部のみを表している。
ガラス板１０は一般的なガラス板であるが、３枚のガラス板は異なる色の色ガラスとすることでロートアイアン製品Ｘをステンドグラスのような外観としている。
前面枠２０はガラス板１０の前面側に配置されるロートアイアン製の枠であり断面Ｌ字状もしくは断面Ｔ字状の部材で各ガラス板１０を囲むように形成される。見方を変えると各ガラス板１０よりもやや大きく前面にガラス板が表出する開口が設けられたガラス板１０と平行な板体部分からなる枠板２１と、枠板２１から裏面側に立ち上がる細長い板体を枠板２１を囲むように枠状に形成した補助枠２２とにより、前面枠２０は構成される。
【０００８】
係止部材３０は、前面枠２０の枠板２１の裏面に固定され、ガラス板１０が枠板２１に直接接触しないようにする部材である。図３に前面枠２０にガラス板１０を置いた状態における係止部材３０近傍の拡大分解斜視図を示し、図４に係止部材３０部分におけるロートアイアン製品Ｘの拡大縦断面図を示す。係止部材３０は、ゴム製の部材で、先が細くなる円錐台状の部分からなる係合部３１と、係合部３１の底面において外周方向に円状に張り出すフランジ部３２とから構成される。係止部材３０は図４で示されるように枠板２１に立設された溶接ボルト２１ａに底面中央に設けられた穴により係合固定されている。図５に係止部材３０を固定した前面枠２０の背面図を示す。係止部材３０はガラス板１０が安定するように適当な位置に適当な数だけ設けられる。係止部材３０のフランジ部３２がガラス板１０と枠板２１の間に狭持され、また、枠板２１の下方側に設けられる係止部材３０の係合部３１はガラス板１０の下端縁を支持する。
【０００９】
押さえ部材４０は、前面枠２０の各ガラス板１０を囲む補助枠２２の内側に嵌るロートアイアン製の枠により形成され、各ガラス板１０ごとに設けられる。押さえ部材４０は断面Ｌ字状の部材を枠状に形成したものであり、前面枠２０の補助枠２２に当接する係合枠４２と前面枠２０の枠板２１に平行になる係合枠４２の前端側に形成される押さえ板４１とから構成される。押さえ板４１の各係止部材３０の係合部３１に重なる位置には、押さえ板４０が後述するワッシャー５０を挟んでガラス板１０を押さえたときに係合部３１にきつく嵌る貫通孔４１ａが設けられている。
ワッシャー５０は、図３、図４で示すようにガラス板１０と押さえ板４１との間に狭持されるゴム製のワッシャーであり、係合部材３０の係合部３１を通る穴が中央に形成されている。
【００１０】
以上のような構成を有するロートアイアン製品Ｘを設置場所に設置する場合、まず、係合部材３０が事前に固定された前面枠２０を設置場所に固定し、一枚のガラス板１０を対応する前面枠２０背面の係合部材３０で囲まれた範囲に置く。この際、当該範囲の下方に位置する係合部材３０の係合部３１でガラス板１０の下縁を支持させる。次に、ガラス板１０が置かれた係合部材３０にワッシャー５０を嵌め、その上から対応する押さえ部材４０を前面枠２０の補助枠２２に嵌めて押し入れる。これにより、押さえ部材４０の貫通孔４１ａに係合部材３０の係合部３１は入り係合することになる。押さえ部材４０が十分に押し入れられ、ガラス板１０がワッシャー５０と係合部材３０のフランジ部３２との間に狭持されれば、当該ガラス板の固定は完了する。残りの２枚のガラス板１０についても同様の作業を行うことでロートアイアン製品Ｘの設置場所への設置が完了する。
ロートアイアン製品Ｘは、以上説明したように簡単な作業で設置を行うことができ、設置労力の低減を図ることができる。そして、各ガラス板１０は、ゴム製の係止部材３０、ワッシャー５０のみが接触しているので、地震などで前面枠３０が衝撃を受けても、係止部材３０、ワッシャー５０が衝撃を緩和することで、ガラス板１０が破損することを抑制することができる。また、押さえ部材４０の係合枠４２は前面枠２０の補助枠２２に略平行に当接しているので平行に抜かなければ外れないので、係止部材３０の係合部３１と押さえ板４１の貫通孔４１ａだけの係合での容易に抜けることはない。
【００１１】
なお、上記実施形態では、押さえ部材４０をロートアイアンで形成したが、前面枠の裏側は通常は見えないので押さえ部材４０の押さえ板４１をゴム製にすることでワッシャー５０を省略することもできる。
図６に押さえ部材の変形例に係る前面枠２０にガラス板１０を置いた状態における係止部材３０近傍のロートアイアン製品Ｙの拡大分解斜視図を示し、図７に係止部材３０部分におけるロートアイアン製品Ｙの拡大斜視図を示し、図８に図７のＣ−Ｃ線断面図を示す。ロートアイアン製品Ｙは押さえ部材８０を、硬質ゴム製のＬ字部材８０Aと鉄板８５とから構成している。Ｌ字部材８０Aはガラス板１０に当接するガラス板１０に平行になる板体からなる押さえ板８１と、押さえ板８１の補助枠２２側の端部に設けられる補助枠２２を構成する板に平行に当接する支持板８３とから構成される。押さえ板８１の係止部材３０の係合部３１に重なる位置には、係合部３１にきつく嵌る貫通孔８１ａが設けられている。また、支持板８３には厚さ方向に鉄板８５が嵌る幅の深い切り込み８３ａが形成されている。鉄板８５は平らな鉄の板であり、中央をＬ字部材８０の切り込み８３ａに嵌めたときに両側に突出する部分のＬ字部材８０側の縁部に切り欠き８５ａが形成される。そして、鉄板８５を切り込み８３ａに嵌めたときに、この切り欠き８５ａに係合するように、補助枠２２には切り欠き８５ａよりやや太いゴムの円柱体２２ａが立設固定されている。この円柱体２２ａは中心に補助枠２２に溶接固定される溶接ボルト通っている。鉄板８５を切り込み８３ａに嵌めた状態において、鉄板８５と支持板８３とは固定板を構成する。
【００１２】
以上のような構成を有する押さえ部材８０を有するロートアイアン製品Ｙを設置する際には、まず、前面枠２０を設置し、ガラス板１０を対応する前面枠２０背面の係合部材３０で囲まれた範囲に置いた後に、Ｌ字部材８０Ａの貫通孔８１ａが係止部材３０の係合部３１に嵌り、支持板８３が補助枠２２に当接するようにして、Ｌ字部材８０Ａを押入れ、押さえ板８１と係止部材３０のフランジ部３２との間にガラス板１０が狭持されるようにする。次に、Ｌ字部材８０Ａの切り込み８３ａに鉄板８５を差し入れ、同時に鉄板８５の切り欠き８５ａを補助枠２２の円柱体２２ａに押し入れて固定する。すべての係止部材３０に対して押さえ部材８０の取り付けることでガラス板１０を前面枠２０に取り付けることができる。そして、他のガラス板１０についても同様の作業を行うことでロートアイアン製品Ｙの設置は完了する。
なお、鉄板８５は一つのＬ字部材８０Ａに対して一つ設けているが、横に並ぶＬ字部材８０Ａの鉄板８５と連結して一枚の長い鉄板８５で共用するようにしてもよい。また、Ｌ字部材８０Ａも横に並ぶＬ字部材８０Ａと連結した長いものを用いてもよい。
【００１３】
なお、上記実施形態に示すロートアイアン製品は例示であり、ガラス板の形状や前面枠の形状は任意のものが適用でき、係止部材３０の数なども適宜変更することができる。
また、係止部材３０の係合部３１の形状はここでは円錐台状のものを例示しているが、柱状でれば円柱状や角柱状でもよく、押さえ板４１に嵌った後に抜けにくいように先端側をやや膨らませた形にしてもよい。さらに、係止部材３０のフランジ部３２の形状も円形でなく、四角形等でもよく、係合部３１に対して偏芯して取り付けられていてもよい。また、係止部材３０やワッシャー５０、Ｌ字部材８１Ａなどはウレタンエラストマーなどの弾性のある合成樹脂により形成してもよい。
【符号の説明】
【００１４】
Ｘ、Ｙ  ロートアイアン製品
１０  ガラス板
２０  前面枠
２１  枠板
２２  補助枠
３０  係止部材
３１  係合部
３２  フランジ部
４０、８０  押さえ部材
４１、８１  押さえ板
４１ａ、８１ａ  貫通孔
４２  係合枠
【図１】
0003178829.tif 000003
【図２】
0003178829.tif 000004
【図３】
0003178829.tif 000005
【図４】
0003178829.tif 000006
【図５】
0003178829.tif 000007
【図６】
0003178829.tif 000008
【図７】
0003178829.tif 000009
【図８】
0003178829.tif 000010